(57)【要約】  【課題】  水平方向に位置決めして積み重ねることができる仮設足場用足場板を提供する。  【解決手段】  仮設足場用足場板１は、足場板本体２と、仮設足場用建枠１００の水平材１０２に係合可能な係止フック３とを有する。係止フックは、下方が開口した係止溝２４を有し、係止溝２４の上端が足場板本体２の上面と同じ高さで、係止溝２４の下端が足場板本体２の下面より上方に位置するように構成されたフック部材２０と、フック部材に対して上下にスライド可能なロック部材３０と、を有し、フック部材２０の上側水平部２３は、足場板本体２側の根本部分に段差部２５と、段差部２５に連続し上下方向に積層時に下側に位置するフック部材２０が係止溝２４内に配置されるように上方に湾曲した湾曲部２６とを有し、ロック部材３０は、積層時に下方に位置するロック部材３０の上端３６を収容可能な逃げ部３５を下縁に有する。【選択図】  図８
2019183434.tif 000002
【特許請求の範囲】
【請求項１】
所定間隔ごとに取り付け部が設けられた支柱と、前記支柱の取り付け部に固定された水平材とを備える仮設足場用建枠の前記水平材間に掛け渡され、所定厚みを有する足場板本体と、足場板本体の両端から突出して取り付けられ前記水平材に係合可能な係止フックとを有する、仮設足場用足場板であって、
前記係止フックは、
前記足場板本体に接続する基端側垂直部と、前記基端側垂直部に平行な先端側垂直部と、前記先端側垂直部と基端側垂直部の間に位置し上側に湾曲する上側水平部と、前記先端側垂直部と基端側垂直部と上側水平部で囲まれて下方が開口した係止溝を有し、前記係止溝の上端が前記足場板本体の上面と同じ高さで、前記係止溝の下端が前記足場板本体の下面より上方に位置するように構成されたフック部材と、
前記フック部材の基端側垂直部の幅方向一端に設けられ、前記足場板本体の下面よりも下方に延びて前記係止溝の開口を部分的に閉塞可能な固定位置と、前記足場板本体の下面よりも上側に位置する解放位置との間で前記フック部材に対して上下にスライド可能なロック部材と、を有し、
前記フック部材の上側水平部は、前記足場板本体側の根本部分に前記基端側垂直部の下端に沿った方向に延びる段差部と、段差部に連続し上下方向に積層時に下側に位置するフック部材が前記係止溝内に配置されるように上方に湾曲した湾曲部とを有し、
前記ロック部材は、前記積層時に、前記下方に積層された前記係止フックのロック部材の上端を収容可能な逃げ部を下縁に有することを特徴とする、仮設足場用足場板。
【請求項２】
前記ロック部材は、基端側垂直部の幅方向側面に設けられることを特徴とする、請求項１に記載の仮設足場用足場板。
【請求項３】
前記足場板本体は、断面コの字状の踏板を幅方向に複数枚並べて配置した天板部と、
前記天板部の周囲に設けられるフレーム部とを有することを特徴とする、請求項１又は２に記載の仮設足場用足場板。
【請求項４】
前記天板部は、前記複数の踏板が隙間をおいて幅方向に並べて構成され、当該隙間に幅方向に延びる係止部材を天板部端部近傍に有することを特徴とする、請求項３に記載の仮設足場用足場板。
【請求項５】
前記フレーム部は、前記天板部の端部に沿って配置される断面コの字状のフレーム部材で構成され、前記フレーム部材の上板及び下板に、互いに嵌り合う凹凸部を有することを特徴とする、請求項３又は４に記載の仮設足場用足場板。
【発明の詳細な説明】
【技術分野】
【０００１】
本発明は、例えば、建築作業現場、土木作業現場、解体作業現場等の各種作業現場で用いられる仮設足場用足場板、及びこの仮設足場用足場板を上下に積み重ねる構造に関する。
【背景技術】
【０００２】
例えば、建築作業現場、土木作業現場、解体作業現場等の各種作業現場で構築される仮設足場は、各種の構成要素を組み合わせることにより構成され、この構成要素の一つとして、作業者が上に乗って歩行したり工具等を載せるための仮設足場用足場板がある。
【０００３】
仮設足場用足場板は、全体が細長形状の板の両端にフックを有する。これらの仮設足場用足場板は、各種作業現場へ搬送される際や各種作業現場から資材置き場等の他の場所へ搬送される際に、輸送効率や取り扱い性を良好等とするために、厚さ方向を上下方向として上下に積み重ねられる。
【０００４】
しかし、このように複数個の仮設足場用足場板を上下に積み重ねた場合に、上下の仮設足場用足場板のフックが邪魔になるため、仮設足場用足場板同士の間で水平方向に位置をずらして積み重ねる。このずれを有する積み重ねは、積み重ねが不安定になり、また、幅方向にも広がるため、多数の仮設足場用足場板を搬送することは困難になる。このため、仮設足場用足場板同士を水平方向に位置決め状態にして上下に積み重ねることができるようにすることが求められる。
【０００５】
このため、例えば、特許文献１（特許５１７２２４２号公報）は、フック部材とロック部材の上面に、仮設足場用足場板同士を積み重ねた場合の干渉を防止するための窪みを備えた仮設足場用足場板が記載されている。
【先行技術文献】
【特許文献】
【０００６】
【特許文献１】特許５１７２２４２号公報
【発明の概要】
【発明が解決しようとする課題】
【０００７】
しかし、上記特許文献１の仮設足場用足場板は、布板本体に対して、フック部材及びロック部材の突起部が布板本体よりも下側に突出した構成である。すなわち、特許文献１の仮設足場用足場板は、フックの上面が、布板本体の上面と同じ高さとなるように、フック部材を構成し、その分フック部材とロック部材の下端に位置する突起部が布板本体の下側よりも下方に位置する。
【０００８】
この構成によれば、足場の水平材の仮設足場用足場板を組み付けた場合、水平材の上面よりも布板本体の上面が高い位置に配置される。これにより、布板本体と水平材との間に隙間が生じ、ボルトなどの部材が落下する問題があった。さらに、布板の設置高さが上がることにより、手摺などとの間の高さが短くなり、足場板から手摺までの高さが仮設足場の設置基準を満たさない場合が生じるおそれがあるなどの問題もあった。
【０００９】
したがって、本発明が解決しようとする技術的課題は、水平方向に位置決めして積み重ねることができる仮設足場用足場板を提供することである。
【課題を解決するための手段】
【００１０】
本発明は、上記技術的課題を解決するために、以下の構成の仮設足場用足場板を提供する。
【００１１】
本発明の第１態様によれば所定間隔ごとに取り付け部が設けられた支柱と、前記支柱の取り付け部に固定された水平材とを備える仮設足場用建枠の前記水平材間に掛け渡され、所定厚みを有する足場板本体と、足場板本体の両端から突出して取り付けられ前記水平材に係合可能な係止フックとを有する、仮設足場用足場板であって、
前記係止フックは、
前記足場板本体に接続する基端側垂直部と、前記基端側垂直部に平行な先端側垂直部と、前記先端側垂直部と基端側垂直部の間に位置し上側に湾曲する上側水平部と、前記先端側垂直部と基端側垂直部と上側水平部で囲まれて下方が開口した係止溝を有し、前記係止溝の上端が前記足場板本体の上面と同じ高さで、前記係止溝の下端が前記足場板本体の下面より上方に位置するように構成されたフック部材と、
前記フック部材の基端側垂直部の幅方向一端に設けられ、前記足場板本体の下面よりも下方に延びて前記係止溝の開口を部分的に閉塞可能な固定位置と、前記足場板本体の下面よりも上側に位置する解放位置との間で前記フック部材に対して上下にスライド可能なロック部材と、を有し、
前記フック部材の上側水平部は、前記足場板本体側の根本部分に前記基端側垂直部の下端に沿った方向に延びる段差部と、段差部に連続し上下方向に積層時に下側に位置するフック部材が前記係止溝内に配置されるように上方に湾曲した湾曲部とを有し、
前記ロック部材は、前記積層時に、前記下方に積層された前記係止フックのロック部材の上端を収容可能な逃げ部を下縁に有することを特徴とする、仮設足場用足場板を提供する。
【００１２】
本発明の第２態様によれば、前記ロック部材は、基端側垂直部の幅方向側面に設けられることを特徴とする、第１態様の足場板を提供する。
【００１３】
本発明の第３態様によれば、前記足場板本体は、断面コの字状の踏板を幅方向に複数枚並べて配置した天板部と、
前記天板部の周囲に設けられるフレーム部とを有することを特徴とする、第第１又は第２態様の仮設足場用足場板を提供する。
【００１４】
本発明の第４態様によれば、前記天板部は、前記複数の踏板が隙間をおいて幅方向に並べて構成され、当該隙間に幅方向に延びる係止部材を天板部端部近傍に有することを特徴とする、第３態様の仮設足場用足場板を提供する。
【００１５】
本発明の第５態様によれば、前記フレーム部は、前記天板部の端部に沿って配置される断面コの字状のフレーム部材で構成され、前記フレーム部材の上板及び下板に、互いに嵌り合う凹凸部を有することを特徴とする、第３又は第４態様の仮設足場用足場板を提供する。
【発明の効果】
【００１６】
本発明によれば、係止フックのフック部は、上端が上側に湾曲して構成された湾曲部と基端側垂直部の下端に沿った方向に延びる段差部を有する上側水平部を有するため、仮設足場用足場板を上下方向に積み重ねたときに、基端側垂直部の下端が段差部に当接しかつ、湾曲部が係止溝の開口内に配置される。
【００１７】
また、係止フックのフック部材は、解放位置と固定位置との間で上下にスライド可能であり、下縁に逃げ部を有するため、仮設足場用足場板を上下方向に積み重ねたときに、下方に積層された仮設足場用足場板の係止フックのロック部材の上端を収容することができる。
【００１８】
このため、足場板本体の厚み寸法内に位置する係止フックにより、上下方向の積み重ね時に係止フックが干渉することがない。したがって、複数の仮設足場用足場板を水平方向に位置決めして積み重ねることができる。
【図面の簡単な説明】
【００１９】
【図１】本実施形態にかかる仮設足場用足場板を取り付ける仮設足場用建枠の構成を説明する斜視図である。
【図２】本発明の実施形態にかかる足場板の外観構造を示す斜視図である。
【図３】図１の足場板端部の部分拡大斜視図である。
【図４】上方向から見た図１の足場板端部の部分拡大平面図である。
【図５】下方向から見た図１の足場板端部の部分拡大底面図である。
【図６】図２のVI-VI線における断面図である。
【図７】ロック部材が解放位置に有る係止フックの外観構成を示す背面図である。
【図８】ロック部材が解放位置に有る係止フックの外観構成を示す正面図である。
【図９】ロック部材が固定位置に有る状態の係止フックの構成を示す側面図である。
【図１０】複数枚を積層した状態の足場板の左側面図である。
【図１１】複数枚を積層した状態の足場板の正面図である。
【図１２】複数枚を積層した状態の足場板の背面図である。
【発明を実施するための形態】
【００２０】
以下、本発明の実施形態に係る足場板について、図面を参照しながら説明する。
【００２１】
図１は、本発明の実施形態にかかる仮設足場用足場板１（以下、足場板１と記載する。）の構造を示す平面図である。図２は、図１の足場板端部の部分拡大斜視図である。
【００２２】
本実施形態にかかる足場板１は、仮設足場１００の水平材１０２間に架け渡される。仮設足場１００は、図１に示すように、建築物の周囲に沿って組み立てられる。仮設足場１００は、建築物の外周に沿って、所定間隔ごとに複数列に立設された複数の支柱１０１と、支柱の間に架設された水平材１０２とで枠組みされる。
【００２３】
仮設足場１００は、図１に示すように、フランジ１０３が設けられた支柱１０１を直交する２軸方向（はり間方向及び桁行き方向）に所定の間隔をおいて格子状に配置し、当該フランジ１０３に水平材１０２を固定することで組み上げられる。図１においては、足場板１が固定される水平材１０２は、はり間方向に隣接する支柱同士をつなぐように配置される。なお、仮設足場用建枠の補強のために桁行き方向にも水平材１０２ａを架設してもよい。
【００２４】
支柱１０１は、例えば、直径４５ｍｍ程度の金属パイプによって構成されており、支柱１０１の軸方向に複数本を連結して用いることができる。また、支柱１０１には、一定間隔ごと例えば、本実施形態では４５ｃｍごとに取り付け部の一例としてのフランジ１０３が設けられている。フランジ１０３は、複数の連結孔が設けられた板状の部材であり、水平材１０２の端部が当該フランジを挟んだ状態で配置され、フランジ１０３の連結孔にくさびを挿入することで、水平材１０２と支柱１０１とが固定される。
【００２５】
足場板１は、同じ高さ位置に配置された桁行き方向の２つの水平材１０２の間に架け渡される。
【００２６】
なお、以下の説明では、同じ高さ位置に配置された２つの水平材１０２の間に架け渡された場合における足場板１の上下の方向を「上下方向」とする。また、上下方向に直行し、足場板１の面に沿った方向を「横方向」とする。同じ高さ位置に配置された２つの水平材１０２の間に架け渡された場合は、上下方向は鉛直方向と一致し、横方向は水平方向と一致する。また、「横方向」のうち、足場板１の係止フック３が設けられている足場板本体２の辺に沿った方向を「幅方向」、幅方向に直行し、係止フック３が設けられていない足場板本体２の辺に沿った方向を「長さ方向」という。なお、異なる高さ位置に配置された２つの水平材に足場板１が架け渡された場合は、上下方向及び横方向は、それぞれ鉛直及び水平方向から傾斜した状態となる。
【００２７】
足場板１は、図１に示すように、矩形に構成された足場板本体２と、足場板本体２の長さ方向両端側に設けられた係止フック３と、係止フック３の間に配置された隙間閉塞部材４とを有する。
【００２８】
また、本実施形態にかかる足場板１では、上方向から見た平面視において、足場板本体２は、長さ方向に沿った辺が長辺となる長方形である。なお、長さ方向と幅方向の相対的な大きさは、これに限定されるものではなく、足場板本体２が平面視で正方形であってもよいし、係止フック３が設けられている長さ方向が幅方向より短い長方形であってもよい。
【００２９】
足場板本体２は、天板部５と天板部５の端部に位置するフレーム部６とを有する。
【００３０】
天板部５は、複数の凸部５ａが設けられた踏板７が幅方向に２枚並べられて構成されている。
【００３１】
フレーム部６は、本実施形態では、天板部５の長さ方向両端に取り付けられた１組のフレーム材８で構成される。フレーム材８は、天板部５の長さ方向両端に溶接されて、幅方向に並べられた２つの踏板を固定する。なお、フレーム部６は、天板部５の周縁に配置される４本のフレーム材を用いて矩形に構成してもよいし、長さ方向及び幅方向に中間梁を設けてもよい。
【００３２】
図３は、足場板端部の部分拡大斜視図である。図４は、足場板端部の部分拡大平面図である。図５は、足場板端部の部分拡大底面図である。
【００３３】
図３から図５に示すように、係止フック３は、足場板本体２の長さ方向側両端にそれぞれ１対ずつ設けられている。具体的には、係止フック３は、基端側端部９を、足場板本体２の長さ方向両端に位置するフレーム材８の端面にリベットや溶接などで取り付ける。係止フック３は、水平材１０２に係止して踏板を連結する。
【００３４】
隙間閉塞部材４は、図３から図５に示すように、フレーム部６のフレーム材８の係止フック３の間の位置に溶接などの手段により固定される。隙間閉塞部材４は、１枚の金属板を略三角形状に折り曲げて構成され、足場板本体２の上面と略同じ高さで上面に沿って伸びるように設けられた上面部１１と、上面部１１に連続して設けられ、斜め方向に伸びる下面部１２とを備える。
【００３５】
また、隙間閉塞部材４は断面形状が略三角形状となっているため、隙間閉塞部材４の引っかかりなどが生じにくく、取り扱い作業性に優れている。
【００３６】
隙間閉塞部材４の先端部４ａは、図４及び図５に示すように、上下方向から見て水平材１０２に横方向に重ならないように構成されている。
【００３７】
このように隙間閉塞部材４を構成することにより、支柱を間に挟んで足場板１を水平材１０２に係止するいわゆるまた掛けが可能となり、仮設足場への組み立て作業の幅を広げて作業性を容易にすることができる。
【００３８】
本実施形態にかかる足場板１は、上下方向に複数枚を積み重ねた時に、荷崩れを起こしにくく、係止フック３が干渉することなく積層できるように、足場板本体２及び係止フック３が構成されている。以下、足場板本体及び係止フックの具体的な構成について詳細に説明する。
【００３９】
（足場板本体）
足場板本体２は、上記のように、天板部５と天板部５の端部に位置するフレーム部６とを有する。図６は、図２のＶＩ−ＶＩ線における断面図である。図６に示すように、天板部５は、幅方向に２枚並べられた踏板７を有し、２枚の踏板の間には隙間１０が形成されている。
【００４０】
踏板７は、上板７ａと、上板７ａの幅方向両端に連続し、下側に延びる側板７ｂ，７ｃとを有する、断面コの字状に成型された金属板で構成されている。上板７ａは、長さ方向に延びる補強溝１４を３本ずつ有しており、踏板７のたわみを防止する。
【００４１】
天板部５の幅方向外側に位置する側板７ｂは露出し、足場板の側面を構成する。
【００４２】
隙間１０を挟んで隣り合う側板７ｃ同士は、幅方向に延びる係止部材１３で連結されている。係止部材１１は、天板部端部近傍であるフレーム材８の近くに設けられている。
【００４３】
隙間１０には、例えば、足場板１を吊り下げて高所に持ち上げる際に使用されるクレーンの吊り下げ部材を通すことができる。具体的にはワイヤーやフックなどの吊り下げ部材を、隙間１０の係止部材１１よりも中央側に通して、足場板１の吊り下げ時に係止部材１１に吊り下げ部材が引っかかるようにすることができる。
【００４４】
本実施形態にかかる足場板１は、フレーム部６が足場板本体２の長さ方向にのみ溶接されているため、隙間１０に吊り下げ部材を通すと、足場板１の荷重がフレーム部６にかかることとなる。これにより、フレーム部６と天板部５との間の溶接が外れ、足場板１の損傷の原因となる。本実施形態によれば、係止部材１３は、天板部５に取り付けられているため、隙間１０に吊り下げ部材を通してもフレーム部６に荷重がかからない。これにより、足場板１の損傷を防止することができる。
【００４５】
フレーム部６のフレーム材８は、天板部５の長さ方向端面に沿う中板８ｂと、中板８ｂの上下にそれぞれ位置する上板８ａ及び下板８ｃを有する、断面がコの字状の棒状部材である。上板８ａは、踏板７の上板７ａに当接し、下板８ｃは、踏板７の側板７ｂ，７ｃの下端に当接する。
【００４６】
フレーム材８の上板８ａ及び下板８ｃには、足場板１の積層時に互いに嵌り合う凸部１５及び凹部１６が設けられている。凸部１５及び凹部１６が足場板１の積層時に互いに嵌り合うことによって、足場板１の横方向（幅方向及び長さ方向）への位置ずれが防止される。
【００４７】
（係止フック）
図７は図４のVII-VII線における断面図であり、図８は、係止フックを図７の反対側面から見た場合の外観構成を示す側面図である。係止フック３は、図４に示すように、幅方向に薄い金属板で構成されており、足場板本体２の長さ方向両端に１対ずつ設けられている。
【００４８】
図４に示すように、足場板本体２の長さ方向両端に配置されている係止フック３の幅方向位置は、足場板本体２の長さ方向一端側と他端側でずれており、複数の足場板１が長さ方向に連続して架け渡す場合に、隣り合う足場板１の係止フック３が互いに干渉しないようになっている。
【００４９】
係止フック３は、水平材１０２に上から係合可能な板状の部材であるフック部材２０と当該ロック部材３０にスライド可能に設けられたロック部材３０とを備えている。
【００５０】
フック部材２０は、足場板本体２に接続する基端側垂直部２１と、基端側垂直部２１に平行な先端側垂直部２２と、先端側垂直部２２と基端側垂直部２１の間に位置し上側に湾曲する上側水平部２３を有する、略Ｕ字状の部材である。なお、先端側垂直部２２と基端側垂直部２１と上側水平部２３は、フック部材２０として一体的に形成されているため、それぞれの境界は明確ではないものの、本実施形態では、係止溝２４の上端２４ａよりも上方に位置する部分を上側水平部２３とする。
【００５１】
先端側垂直部２２と基端側垂直部２１と上側水平部２３により囲まれた領域には、水平材１０２がはまり込む係止溝２４が形成される。すなわち、係止溝２４は、下方が開口する。水平材１０２を下方の係止溝２４の開口から係止溝２４内に嵌めることにより、フック部材２０と水平材１０２とが連結する。係止溝２４は、上縁が水平材１０２の周面の曲率と略等しい円弧状に形成されており、水平材１０２と係止フック３が、がたつきなく係止される。
【００５２】
なお、本実施形態において、係止フック３は、足場板本体２の長さ方向側端面２ａから係合溝２４までの距離が、フランジ１０３の支柱からの突出幅よりも長く構成されている。
【００５３】
先端側垂直部２２と基端側垂直部２１の下端は、足場板本体２の下面２ｌよりも上方に位置する。また、係止溝２４の上端２４ａは、足場板本体２の上面２ｕと略同じ高さである。これにより、水平材１０２と係止フックとが連結した場合、足場板本体２は、水平材１０２の上端とほぼ同じ高さに位置する。これにより、足場板１の設置高さを低くすることができ、手摺などとの高さ基準幅を大きく取ることができる。
【００５４】
フック部材２０の上側水平部２３は、上方向に凸の湾曲した形状を有する。すなわち、フック部材２０の上側水平部２３は、足場板本体２の上面２ｕよりも上方に突出する。
【００５５】
フック部材２０の上側水平部２３の上縁は、足場板本体２側の根本部分に位置し、基端側垂直部２１の下端２１ｌに沿った方向に延びる段差部２５と、段差部２５に連続し、上方に湾曲した湾曲部２５とを有する。
【００５６】
段差部２５は、足場板本体２の上面２ｕよりも上方に位置し、両者の高さレベルの差Ａは、基端側垂直部２１の下端２１ｌと足場板本体２の下面２ｌとの高さの差Ｂと略一致する。また、段差部２５の長さ方向の位置は、係止溝２４の足場板本体２に対する最近位位置２４ｐよりも足場板本体２側に位置する。すなわち、後述する足場板１の積層時に、基端側垂直部２１の下端２１ｌが段差部２５に当接する（図１１，図１２参照）。
【００５７】
上記のように、足場板１の積層時に、基端側垂直部２１の下端２１ｌが段差部２５に当接するため、下側に位置するフック部材の湾曲部２６が、上方に位置する係止フック３の係止溝２４内に配置される。足場板１の上下方向への積層については、詳細は後述する。
【００５８】
ロック部材３０は、全体として、略円弧状に構成された金属片である。ロック部材３０は、下端に下側突出部３２を有し、下側突出部３２から円弧状に形成された内側周縁３３の上端に、上側突出部３４を備える。内側周縁は、係止溝２４と略同じ曲率に構成されている。また、ロック部材３０の下側縁には、下側突出部３２に連続し、上方に窪んだ逃げ部３５が形成されている。逃げ部３５の長さ方向寸法は、ロック部材３０の上側縁３６と略同じに構成されており、後述する積層時に、上側縁３６が逃げ部３５に収納可能である。
【００５９】
ロック部材３０は、フック部材２０の幅方向一端側に上下方向にスライド可能に設けられている。本実施形態では、ロック部材３０は、長手方向に足場板１を連続して掛け渡したときに、ロック部材３０が、２つの足場板１のフック部材２０の外側に位置するように、係止フックの取り付け位置の幅方向にずらした側の面に取り付けられている。
【００６０】
ロック部材３０は、図８に示すように、２つの長孔３１を有しており、フック部材２０に設けられた固定ピン２７によってフック部材２０に対して上下にスライド可能に取り付けられる。
【００６１】
ロック部材３０は、フック部材２０に対して、固定位置と解放位置との間で上下方向にスライドする。図８は解放位置にあるときのロック部材３０とフック部材２０の位置関係を示し、図９は、固定位置にあるときのロック部材３０とフック部材２０の位置関係を示す。
【００６２】
図８に示す解放位置では、ロック部材３０の上側突出部３４が係止溝２４側に突出する。また、下側突出部３２は、足場板本体２の下面よりも上方かつ係止溝２４の足場板本体２に対する最近位位置２４ｐよりも足場板本体２側に位置する。これにより、係止溝２４の開口から水平部１０２を係止溝内に収容することができるとともに、係止溝２４内において、上側突出部３４が水平部１０２の外周面に当接して、ロック部材３０のスライドを補助する。
【００６３】
また、図９に示す固定位置では、ロック部材３０は、固定位置において、足場板本体２の上面よりも下側に位置決めされている。一方、ロック部材３０の下側突出部３２が係止溝２４側に突出し、係止溝２４内の水平部１０２の下側に回り込む。これにより、水平部１０２の脱落を防止することができる。したがって、吹き上げなどによる足場板１の落下を防止することができる。
【００６４】
また、逃げ部３５は、足場板本体２の下面２ｌよりもわずかに上方に位置する。内側周縁３３は、係止溝２４の周面に沿って配置され、上側突出部３４が係止溝２４から退避した状態となる。上側突出部３４は、足場板本体２の上面２ｕとほぼ同じ高さである。
【００６５】
係止フック３を水平材１０２に係合させるときは、ロック部材３０を上側に移動させることにより、係止フック３の係合溝８ａの下側を開放させて、水平材１０２を上側から係止フック３の係止溝２４に嵌入させる。水平材１０２が係止溝２４に入り込むと、上側突出部３４が押されて、ロック部材３０を下方向に移動し、下側突出部３２が、水平材１０２の下側に突出する。
【００６６】
本実施形態にかかる足場板１は、上記の係止フック３の構造及び足場板本体２との位置関係により、がたつきなく複数枚を上下に積み重ねることができる。図１０は、複数枚を積層した状態の足場板の左側面図である。図１１は、複数枚を積層した状態の足場板の背面図である。図１２は、複数枚を積層した状態の足場板の正面図である。
【００６７】
本実施形態にかかる足場板１は、ロック部材３０をスライドさせて固定位置に配置した状態で積層する。この状態において、上記のように係止フック３は、湾曲部２５を除く大部分が、足場板本体２の厚み寸法内に収まるため、足場板本体２を隙間なく上下に積み上げることができる。
【００６８】
すなわち、上下方向への積み重ね時において、足場板本体２の上下方向寸法が上下に連続する足場板１間の積層ピッチとなる。なお、本実施形態では、足場板本体２の上下方向寸法は４２ｍｍであり、水平材の外径寸法（４５ｍｍ）よりも小さく構成されている。
【００６９】
また、フレーム材８の上板８ａ及び下板８ｃに設けられている凸部１５及び凹部１６が足場板１の積層時に互いに嵌り合う。これにより、足場板１の位置ずれを防止することができる。
【００７０】
係止フック３は、足場板本体２の幅方向位置において、いずれも同じ位置に設けられている。しかし、本実施形態では、足場板本体２の上面と水平材１０２が同じ高さとなるように、フック部材３を構成するため、足場板本体２の上方に湾曲部２６が突出する。すなわち、フック部材３の上下方向寸法は、足場板本体２の積層ピッチよりも大きい。本実施形態にかかる足場板１の係止フック３は、フック部材２０及びロック部材３０の構成を工夫することにより、足場板本体２の上面を水平材１０２と同じ高さとし、且つ積層における干渉をフック部材２０及びロック部材３０の構成により回避することができる。
【００７１】
フック部材２０は、上側水平部２３の上縁は、段差部２５と、段差部２５に連続した湾曲部２５とを有する。上記のように、段差部２５は、足場板本体２の上面２ｕよりも上方に位置し、両者の高さレベルの差Ａは、基端側垂直部２１の下端２１ｌと足場板本体２の下面２ｌとの高さの差Ｂと略一致する。また、段差部２５の長さ方向の位置は、係止溝２４の足場板本体２に対する最近位置２４ｐよりも足場板本体２側に位置する。
【００７２】
これにより、足場板１の積層時に、基端側垂直部２１の下端２１ｌが段差部２５に当接する。
【００７３】
基端側垂直部２１の下端２１ｌが段差部２５に当接するため、下側に位置するフック部材の湾曲部２６は、係止溝２４内に配置される。また、積層時に先端側垂直部２２の下端２２ａの下側に位置する部分は、湾曲部２６の上端に比べて下がっているので、当該先端側垂直部２２の先端２２ａが、湾曲部２６と干渉することがない。さらに、湾曲部２６が部分的に係止溝２４内に位置することにより、足場板１の長さ方向への位置ずれを防止することもできる。
【００７４】
上記の構成により、フック部材２０の干渉を防止することができ、足場板１を隙間が少なく上下方向に積み重ねることができる。また、ロック部材３０は、フック部材２０の幅方向の片面に配置されているため、ロック部材３０とフック部材２０とが干渉することはない。
【００７５】
ロック部材３０は、上下方向寸法が、足場板本体２の上下方向寸法よりもわずかに長く構成されている。また、図９に示すように、ロック部材３０は、固定位置において、足場板本体２の上面よりも下側に位置決めされている。これにより、ロック部材３０の下端に位置する下側突出部３２は、足場板本体２の下面よりも下側に位置することとなる。このため、本実施形態にかかる足場板１は、ロック部材３０の下縁に逃げ部３５を設けることで、ロック部材３０同士の上下方向の干渉を防止する。
【００７６】
具体的には、ロック部材３０の下側縁に位置する逃げ部３５は、足場板本体２の下面２ｌよりもわずかに上方に位置する。すなわち、ロック部材の逃げ部３５における上下方向寸法は、足場板本体２の上下方向寸法よりもわずかに短い。
【００７７】
また、逃げ部３５は、ロック部材３０の上側縁３６と略同じ長さ方向寸法に構成されており、また、逃げ部３５の上辺とロック部材３０の上側縁３６とは、互いに平行となるように、構成されている。これにより、積層時に、上側縁３６が逃げ部３５に収納可能である。したがって、ロック部材３０同士の上下方向の干渉が防止される。
【００７８】
本実施形態にかかる足場板によれば、係止フック３のフック部２０は、上端が上側に湾曲して構成された湾曲部２６と基端側垂直部２１の下端に沿った方向に延びる段差部２５を有する上側水平部２３を有するため、足場板１を上下方向に積み重ねたときに、基端側垂直部の下端２１ｌが段差部２５に当接しかつ、湾曲部２６が係止溝２４の開口内に配置される。
【００７９】
また、係止フックのフック部材３０は、解放位置と固定位置との間で上下にスライド可能であり、下縁に逃げ部３５を有するため、仮設足場用足場板を上下方向に積み重ねたときに、下方に積層された仮設足場用足場板の係止フックのロック部材の上端３６を収容することができる。
【００８０】
このため、足場板本体の厚み寸法内に位置する係止フックにより、上下方向の積み重ね時に係止フックが干渉することがない。したがって、複数の仮設足場用足場板を水平方向に位置決めして積み重ねることができる。
【００８１】
なお、本発明は上記実施形態に限定されるものではなく、その他種々の態様で実施可能である。
【符号の説明】
【００８２】
１  足場板
２  足場板本体
３  係止フック
４  隙間閉塞部材
５  天板部
６  フレーム部
７  踏板
８  フレーム材
８ａ  フレーム材上板
８ｂ  フレーム材中板
８ｃ  フレーム材下板
９  基端側端部
１０  隙間
１１  上面部
１２  下面部
１３  係止部材
１４  補強溝
１５  凸部
１６  凹部
２０  フック部材
２１  基端側垂直部
２２  先端側垂直部
２３  上側水平部
２４  係止溝
２５  段差部
２６  湾曲部
２７  固定ピン
３０  ロック部材
３１  長孔
３２  下側突出部
３３  内側周縁
３４  上側突出部
３５  逃げ部
３６  上側縁
１００  仮設足場
１０１  支柱
１０２，１０２ａ  水平材
１０３  フランジ
【図１】
2019183434.tif 000003
【図２】
2019183434.tif 000004
【図３】
2019183434.tif 000005
【図４】
2019183434.tif 000006
【図５】
2019183434.tif 000007
【図６】
2019183434.tif 000008
【図７】
2019183434.tif 000009
【図８】
2019183434.tif 000010
【図９】
2019183434.tif 000011
【図１０】
2019183434.tif 000012
【図１１】
2019183434.tif 000013
【図１２】
2019183434.tif 000014